(57)【要約】      （修正有）【課題】既設の防護柵のトップビームに沿うようにその防護柵に簡単に後付け可能で且つその既設の防護柵の隣り合う支柱間のスペースを有効利用してそのスペースに設置可能な防護柵用照明装置及びその施工方法を提供する。【解決手段】防護柵用照明装置１は、既設の防護柵のうちの隣り合う任意の２つの支柱間においてトップビームに沿って延びるように配置可能な装置本体２と、装置本体２に設けられ、発光可能な発光装置９と、装置本体２に設けられ、トップビームの第１端部内に挿嵌されたスリーブに対して第１ボルトにより第１端部とともに締結可能に構成された第１取付部５と、装置本体２に設けられ、トップビームの第２端部内に挿嵌されたスリーブに対して第２ボルトにより第２端部とともに締結可能に構成された第２取付部６とを備える。【選択図】図２
2020056211.tif 000002
【特許請求の範囲】
【請求項１】
所定方向に並んで設置された複数の支柱と、前記複数の支柱の隣り合うもの同士の間に跨るようにそれぞれ配置されて前記所定方向に延びる複数のトップビームであって各々のトップビームがその長手方向の一端において開口した第１端部とその長手方向の他端において開口した第２端部とを有するものと、前記複数のトップビームの各々の前記第１端部とその第１端部に隣接するトップビームの前記第２端部とに跨るようにその各トップビームの第１端部内とその第１端部に隣接するトップビームの第２端部内にそれぞれ挿嵌された複数のスリーブと、前記複数のトップビームの各々の前記第１端部とそれに挿嵌された前記スリーブとをそれぞれ締結する複数の第１ボルトと、前記複数のトップビームの各々の前記第２端部とそれに挿嵌された前記スリーブとを締結する複数の第２ボルトとを備えた既設の防護柵に対して取り付け可能な防護柵用照明装置であって、
前記複数の支柱のうち隣り合う任意の２つの支柱間において前記トップビームに沿って延びるように配置可能な装置本体と、
前記装置本体に設けられ、発光可能な発光装置と、
前記装置本体に設けられていて、前記装置本体が前記２つの支柱間において前記トップビームに沿って延びるように配置されたときに前記第１端部の外面に沿うように配置され、前記第１端部内に挿嵌された前記スリーブに対して前記第１ボルトにより前記第１端部とともに締結可能に構成された第１取付部と、
前記装置本体に設けられていて、前記装置本体が前記２つの支柱間において前記トップビームに沿って延びるように配置されたときに前記第２端部の外面に沿うように配置され、前記第２端部内に挿嵌された前記スリーブに対して前記第２ボルトにより前記第２端部とともに締結可能に構成された第２取付部と、を備えた、防護柵用照明装置。
【請求項２】
前記装置本体は、その長手方向の両端部が開放された筒状をなしていて前記発光装置を収容する内部空間を有し、
前記発光装置は、給電されることにより発光するように構成され、
前記防護柵用照明装置は、前記発光装置に給電するための電気配線であって前記装置本体の前記内部空間からその装置本体の前記両端部のうちのいずれか一方の端部を通って当該装置本体の外部へ延びるものと、前記電気配線が挿通された前記装置本体の端部から突出するとともに前記電気配線の周りを囲む端部カバーであって前記装置本体に対してその長手方向にスライド可能となるように前記装置本体の前記端部内に挿嵌されたものと、をさらに備える、請求項１に記載の防護柵用照明装置。
【請求項３】
所定方向に並んで設置された複数の支柱と、前記複数の支柱の隣り合うもの同士の間に跨るようにそれぞれ配置されて前記所定方向に延びる複数のトップビームであって各々のトップビームがその長手方向の一端において開口した第１端部とその長手方向の他端において開口した第２端部とを有するものと、前記複数のトップビームの各々の前記第１端部とその第１端部に隣接するトップビームの前記第２端部とに跨るようにその各トップビームの第１端部内とその第１端部に隣接するトップビームの第２端部内にそれぞれ挿嵌された複数のスリーブと、前記複数のトップビームの各々の前記第１端部とそれに挿嵌された前記スリーブとをそれぞれ締結する複数の第１ボルトと、前記複数のトップビームの各々の前記第２端部とそれに挿嵌された前記スリーブとをそれぞれ締結する複数の第２ボルトとを備えた既設の防護柵に対して防護柵照明装置を取り付けるための防護柵用照明装置の施工方法であって、
前記防護柵用照明装置として、ある方向に延びる装置本体と、前記装置本体に設けられ、発光可能な発光装置と、前記装置本体に設けられ、前記トップビームの前記第１端部内に挿嵌された前記スリーブに対して前記第１ボルトにより前記第１端部とともに締結可能に構成された第１取付部と、前記装置本体に設けられ、前記トップビームの前記第２端部内に挿嵌された前記スリーブに対して前記第２ボルトにより前記第２端部とともに締結可能に構成された第２取付部とを備えた防護柵用照明装置を用意する用意工程と、
前記用意工程により用意された前記防護柵用照明装置を、前記装置本体が前記既設の防護柵の前記複数の支柱のうち隣り合う任意の２つの支柱間において前記トップビームに沿って延びるとともに前記第１取付部が前記第１端部の外面に沿って配置され且つ前記第２取付部が前記第２端部の外面に沿って配置されるように配置する配置工程と、
前記配置工程により配置された前記防護柵照明装置の前記第１取付部を、前記トップビームの前記第１端部内に挿嵌された前記スリーブに対して前記第１ボルトにより前記第１端部とともに締結する第１締結工程と、
前記配置工程により配置された前記防護柵照明装置の前記第２取付部を、前記トップビームの前記第２端部内に挿嵌された前記スリーブに対して前記第２ボルトにより前記第２端部とともに締結する第２締結工程と、を備えた、防護柵用照明装置の施工方法。
【発明の詳細な説明】
【技術分野】
【０００１】
本発明は、橋梁及び道路のうちの所定箇所に設置された防護柵に対して取り付けられる防護柵用照明装置、及び、その防護柵用照明装置を防護柵に対して取り付けるための防護柵用照明装置の施工方法に関する。
【背景技術】
【０００２】
従来、橋梁及び道路のうちの所定箇所に設置される防護柵に設けられた照明装置が知られている。例えば、下記特許文献１には、そのような照明装置の一例が開示されている。
【０００３】
特許文献１に開示された照明装置（照明灯）は、陸橋や歩道等に設置される防護柵としての高欄に設けられるものであり、その高欄のうちの最上部に位置して横方向に延びるトップレールに設置されている。トップレールは、中空の略円筒状をなし、その長手方向に沿って延びるように形成された開口部を有する。このトップレールには、前記開口部を塞ぐように目隠しカバー及び透光性の照明板が装着されている。照明装置は、トップレール内の空間に収容されるとともに、そのトップレールの内周面から突出するフランジに対して取付板を介して取り付けられている。この照明装置から出射された光は前記照明板を透過して外部へ照射されるようになっている。
【先行技術文献】
【特許文献】
【０００４】
【特許文献１】実公昭６３−４０５０２号公報
【発明の概要】
【発明が解決しようとする課題】
【０００５】
ところで、近年、既設の防護柵に対して簡単に後付け可能な照明装置が求められており、しかも、防護柵のトップビーム（トップレール）に近い位置で光が照射されることが視認性の点で好ましいことから、既設の防護柵のトップビームに沿うように配置可能で且つその防護柵に対して簡単に後付け可能な照明装置が望まれている。
【０００６】
しかしながら、前記特許文献１に開示された照明装置では既設の防護柵に後付けすることが非常に困難である。具体的には、前記特許文献１に開示された照明装置を既設の防護柵に後付けしようとすると、防護柵が設置された現場においてトップビームに前記開口部やその開口部の周りに前記目隠しカバー及び前記照明板を装着するための部位を加工する必要があり、そのような加工を行うことは現実的には困難である。
【０００７】
また、既設の防護柵には、隣り合う支柱が比較的大きな間隔をあけて配置されたものがあり、その支柱間のスペースを有効利用して照明装置を設置したいという要望もあるが、前記特許文献１に開示された照明装置は、複数の支柱の上端上に設置されたトップビーム内に設置されるものであり、支柱間のスペースを有効利用して当該照明装置を設置することはできない。
【０００８】
本発明の目的は、既設の防護柵のトップビームに沿うようにその防護柵に簡単に後付け可能で且つその既設の防護柵のうちの隣り合う支柱間のスペースを有効利用してそのスペースに設置可能な防護柵用照明装置、及び、その防護柵用照明装置を既設の防護柵に取り付けるための当該防護柵用照明装置の施工方法を提供することである。
【課題を解決するための手段】
【０００９】
本発明により提供されるのは、所定方向に並んで設置された複数の支柱と、前記複数の支柱の隣り合うもの同士の間に跨るようにそれぞれ配置されて前記所定方向に延びる複数のトップビームであって各々のトップビームがその長手方向の一端において開口した第１端部とその長手方向の他端において開口した第２端部とを有するものと、前記複数のトップビームの各々の前記第１端部とその第１端部に隣接するトップビームの前記第２端部とに跨るようにその各トップビームの第１端部内とその第１端部に隣接するトップビームの第２端部内にそれぞれ挿嵌された複数のスリーブと、前記複数のトップビームの各々の前記第１端部とそれに挿嵌された前記スリーブとをそれぞれ締結する複数の第１ボルトと、前記複数のトップビームの各々の前記第２端部とそれに挿嵌された前記スリーブとを締結する複数の第２ボルトとを備えた既設の防護柵に対して取り付け可能な防護柵用照明装置である。この防護柵用照明装置は、前記複数の支柱のうち隣り合う任意の２つの支柱間において前記トップビームに沿って延びるように配置可能な装置本体と、前記装置本体に設けられ、発光可能な発光装置と、前記装置本体に設けられていて、前記装置本体が前記２つの支柱間において前記トップビームに沿って延びるように配置されたときに前記第１端部の外面に沿うように配置され、前記第１端部内に挿嵌された前記スリーブに対して前記第１ボルトにより前記第１端部とともに締結可能に構成された第１取付部と、前記装置本体に設けられていて、前記装置本体が前記２つの支柱間において前記トップビームに沿って延びるように配置されたときに前記第２端部の外面に沿うように配置され、前記第２端部内に挿嵌された前記スリーブに対して前記第２ボルトにより前記第２端部とともに締結可能に構成された第２取付部と、を備える。
【００１０】
この防護柵用照明装置によれば、既設の防護柵において元々トップビームの第１端部及び第２端部とそれらにそれぞれ挿嵌されたスリーブとを締結している第１及び第２ボルトを利用してトップビームを加工することなく当該防護柵用照明装置をトップビームに沿うように取り付けることができるとともに、既設の防護柵のうちの隣り合う任意の２つの支柱間のスペースを有効利用してそのスペースに防護柵用照明装置を設置できる。具体的には、発光装置が設けられた装置本体を既設の防護柵の隣り合う任意の２つの支柱間においてトップビームに沿って延びるように配置し、それによって装置本体に設けられた第１取付部をトップビームの第１端部の外面に沿うように配置するとともに装置本体に設けられた第２取付部をトップビームの第２端部の外面に沿うように配置し、トップビームの第１端部内に挿嵌されたスリーブに対して前記第１ボルトにより第１取付部を第１端部とともに締結するとともに、トップビームの第２端部内に挿嵌されたスリーブに対して前記第２ボルトにより第２取付部を第２端部とともに締結することによって、この防護柵用照明装置を既設の防護柵のトップビームに沿うようにその防護柵に簡単に後付けできるとともに、その既設の防護柵のうちの隣り合う支柱間のスペースを有効利用してそのスペースに当該防護柵用照明装置を設置することができる。
【００１１】
前記防護柵用照明装置において、前記装置本体は、その長手方向の両端部が開放された筒状をなしていて前記発光装置を収容する内部空間を有し、前記発光装置は、給電されることにより発光するように構成され、前記防護柵用照明装置は、前記発光装置に給電するための電気配線であって前記装置本体の前記内部空間からその装置本体の前記両端部のうちのいずれか一方の端部を通って当該装置本体の外部へ延びるものと、前記電気配線が挿通された前記装置本体の端部から突出するとともに前記電気配線の周りを囲む端部カバーであって前記装置本体に対してその長手方向にスライド可能となるように前記装置本体の前記端部内に挿嵌されたものと、をさらに備えることが好ましい。
【００１２】
この構成によれば、発光装置を発光させるための電力を外部から発光装置で供給できるようにしつつ、その給電のための電気配線が装置本体の端部とその端部に対向する支柱との間の隙間で露出することによる美観の悪化及び外部環境に起因する当該電気配線の劣化を抑制でき、且つ、隣り合う支柱間に装置本体を配置するときの作業性が悪化するのを回避できる。具体的には、前記電気配線のうち装置本体の端部とその端部に対向する支柱との間の隙間で露出する部分の長さが大きい場合には、美感を損なうとともに、雨や日照などの外部環境により電気配線が劣化しやすくなるが、本構成では、その電気配線の露出する部分の少なくとも一部を端部カバーのうち装置本体の端部から突出する部分によって覆い隠すことができるため、そのような美観の悪化及び電気配線の劣化を抑制できる。また、電気配線の露出部分を小さくするためには例えば装置本体自体の長さを拡大することも考えられるが、その場合には装置本体を隣り合う支柱間に配置するときに装置本体の端部が支柱に接触しやすくなり、作業性が悪化する。これに対し、本構成では、端部カバーが装置本体に対してその長手方向にスライド可能であるため、装置本体を隣り合う支柱間に配置するときには、当該端部カバーを装置本体内に退入させて装置本体に端部カバーの突出部分を加えた全長を縮小することができ、その端部カバーが支柱に接触するのを回避できるため、作業性が悪化するのを回避できる。
【００１３】
また、本発明により提供される防護柵用照明装置の施工方法は、所定方向に並んで設置された複数の支柱と、前記複数の支柱の隣り合うもの同士の間に跨るようにそれぞれ配置されて前記所定方向に延びる複数のトップビームであって各々のトップビームがその長手方向の一端に位置して開口された第１端部とその長手方向の他端に位置して開口された第２端部とを有するものと、前記複数のトップビームの各々の前記第１端部とその第１端部に隣接するトップビームの前記第２端部とに跨るようにその各トップビームの第１端部内とその第１端部に隣接するトップビームの第２端部内にそれぞれ挿嵌された複数のスリーブと、前記複数のトップビームの各々の前記第１端部とそれに挿嵌された前記スリーブとをそれぞれ締結する複数の第１ボルトと、前記複数のトップビームの各々の前記第２端部とそれに挿嵌された前記スリーブとをそれぞれ締結する複数の第２ボルトとを備えた既設の防護柵に対して防護柵照明装置を取り付けるための防護柵用照明装置の施工方法である。この施工方法は、前記防護柵用照明装置として、ある方向に延びる装置本体と、前記装置本体に設けられ、発光可能な発光装置と、前記装置本体に設けられ、前記トップビームの前記第１端部内に挿嵌された前記スリーブに対して前記第１ボルトにより前記第１端部とともに締結可能に構成された第１取付部と、前記装置本体に設けられ、前記トップビームの前記第２端部内に挿嵌された前記スリーブに対して前記第２ボルトにより前記第２端部とともに締結可能に構成された第２取付部とを備えた防護柵用照明装置を用意する用意工程と、前記用意工程により用意された前記防護柵用照明装置を、前記装置本体が前記既設の防護柵の前記複数の支柱のうち隣り合う任意の２つの支柱間において前記トップビームに沿って延びるとともに前記第１取付部が前記第１端部の外面に沿って配置され且つ前記第２取付部が前記第２端部の外面に沿って配置されるように配置する配置工程と、前記配置工程により配置された前記防護柵照明装置の前記第１取付部を、前記トップビームの前記第１端部内に挿嵌された前記スリーブに対して前記第１ボルトにより前記第１端部とともに締結する第１締結工程と、前記配置工程により配置された前記防護柵照明装置の前記第２取付部を、前記トップビームの前記第２端部内に挿嵌された前記スリーブに対して前記第２ボルトにより前記第２端部とともに締結する第２締結工程と、を備える。
【００１４】
この施工方法によれば、前記防護柵用照明装置について説明した理由と同様の理由により、既設の防護柵のトップビームに沿うようにその防護柵に簡単に防護柵用照明装置を後付けできるとともに、既設の防護柵のうちの隣り合う支柱間のスペースを有効利用してそのスペースに防護柵用照明装置を設置できる。
【発明の効果】
【００１５】
以上説明したように、本発明によれば、既設の防護柵のトップビームに沿うようにその防護柵に簡単に後付け可能で且つその既設の防護柵のうちの隣り合う支柱間のスペースを有効利用してそのスペースに設置可能な防護柵用照明装置、及び、その防護柵用照明装置を既設の防護柵に取り付けるための当該防護柵用照明装置の施工方法を提供できる。
【図面の簡単な説明】
【００１６】
【図１】本発明の一実施形態による防護柵用照明装置が取り付けられた防護柵の正面図である。
【図２】本発明の一実施形態による防護柵用照明装置の平面図である。
【図３】図１に示した防護柵用照明装置が取り付けられた防護柵の支柱近傍の部分の拡大図である。
【図４】図３中のＩＶ−ＩＶ線に沿った防護柵及び防護柵用照明装置の断面図である。
【図５】図３中の防護柵用照明装置の防護柵に対する取付部近傍を部分的にさらに拡大して示す図である。
【図６】図５中のＶＩ−ＶＩ線に沿った断面図である。
【図７】図５中のＶＩＩ−ＶＩＩ線に沿った断面図である。
【図８】図２中のＶＩＩＩ−ＶＩＩＩ線に沿った防護柵用照明装置の断面図である。
【発明を実施するための形態】
【００１７】
以下、本発明の実施形態について図面を参照して説明する。
【００１８】
図１は、本発明の一実施形態による防護柵用照明装置１（以下、単に照明装置１と称する）が取り付けられた防護柵１００の正面図である。この防護柵１００は、橋梁や、道路、道路に隣接する場所などの様々な場所に設置される。以下、防護柵１００が橋梁に設置される場合、すなわち防護柵１００が橋梁に設置される高欄である場合について説明する。図１は、防護柵１００を橋梁の幅方向の内側から外側へ向かって見た状態での正面図である。
【００１９】
防護柵１００は、橋梁の幅方向の端縁部上にその端縁部が延びる方向に沿って延びるように設置される。この防護柵１００は、複数の支柱１０２と、笠木１０４と、複数のトップビーム１０６と、複数のスリーブ１０７と、複数のビーム固定ボルト１２０（図４参照）と、複数の第１ボルト１０８（図５参照）と、複数の第２ボルト１０９（図５参照）と、下部ビーム１１０と、複数の上側レール１１１と、複数の下側レール１１２と、複数の縦桟１１４とを備える。
【００２０】
複数の支柱１０２は、橋梁の幅方向の端縁部上に立設され、その橋梁の端縁部が延びる方向に沿って間隔をあけて並んで設置されている。各支柱１０２は、図４に示すように、橋梁の端縁部上に立設された支柱本体１１６と、その支柱本体１１６の上端部からさらに上方に延出された延出部１１８とを有する。
【００２１】
支柱本体１１６の上端部は、延出部１１８に対して橋梁の幅方向内側に位置するトップビーム取付部１１９を有する。また、支柱本体１１６は、内側板１２２と、外側板１２３と、中央板１２４とを有する。
【００２２】
内側板１２２は、橋梁の幅方向内側に面するとともに上下方向に延びている。外側板１２３は、内側板１２２から橋梁の幅方向において間隔をあけて配置され、橋梁の幅方向外側に面するとともに上下方向に延びている。中央板１２４は、防護柵１００の長手方向に沿う支柱本体１１６の幅方向の中央に位置し、上下方向に延びている。この中央板１２４は、内側板１２２と外側板１２３との間でそれらの内側板１２２及び外側板１２３に対して垂直に配置されて当該内側板１２２と外側板１２３とを繋いでいる。
【００２３】
前記トップビーム取付部１１９は、内側板１２２、外側板１２３及び中央板１２４の各々の上端に結合し、トップビーム１０６をそのトップビーム１０６に対して橋梁の幅方向外寄りの斜め下側から受ける湾曲した板状をなしている。このトップビーム取付部１１９は、支柱本体１１６の幅方向において中央板１２４を中心としてその中央板１２４の両側へ延びている。当該トップビーム取付部１１９は、トップビーム１０６の外周面にフィットするように湾曲した受け面１１９ａを有するとともに、トップビーム１０６の後述の溝１０６ｃに嵌合可能となるように前記受け面１１９ａから突出する凸部１１９ｂを有する。また、トップビーム取付部１１９は、その凸部１１９ｂの位置において当該トップビーム取付部１１９を厚み方向に貫通する２つの挿通孔を有する。この２つの挿通孔のうち一方の挿通孔は、トップビーム取付部１１９のうち支柱本体１１６の幅方向において中央板１２４に対して一方側に位置する部位に設けられ、他方の挿通孔は、トップビーム取付部１１９のうち支柱本体１１６の幅方向において中央板１２４に対して他方側に位置する部位に設けられている。
【００２４】
笠木１０４は、図１に示すように、防護柵１００において最上部に位置し、前記複数の支柱１０２が並ぶ所定方向に沿って延びている。この笠木１０４は、前記複数の支柱１０２の各々の上端、具体的には各支柱１０２の前記延出部１１８の上端に対して結合されている。
【００２５】
複数のトップビーム１０６は、前記複数の支柱１０２の隣り合うもの同士の間に跨るようにそれぞれ配置されてその支柱１０２の前記トップビーム取付部１１９に後述のようにビーム固定ボルト１２０により固定され、前記複数の支柱１０２が並ぶ前記所定方向に延びている。この複数のトップビーム１０６は、前記笠木１０４から下側に間隔をおいた高さ位置で前記笠木１０４に対して平行に延びている。また、この複数のトップビーム１０６は、同心となるように配置されている。
【００２６】
複数のトップビーム１０６の各々は、中空の筒状をなし、その長手方向の一端部であって開口された第１端部１０６ａと、その長手方向の他端部であって開口された第２端部１０６ｂとを有する。各トップビーム１０６の第１端部１０６ａと、そのトップビーム１０６と隣り合うトップビーム１０６の第２端部１０６ｂとが、前記所定方向において互いに対向し且つ隣接するように配置されている。
【００２７】
また、各トップビーム１０６の外周面のうち下向きで橋梁の幅方向外寄りの部位には、そのトップビーム１０６の長手方向に延びる溝１０６ｃが形成されている。各トップビーム１０６の第１端部１０６ａが支柱１０２のトップビーム取付部１１９の受け面１１９ａにより斜め下側から受けられるとともに、その第１端部１０６ａの溝１０６ｃ内にトップビーム取付部１１９の凸部１１９ｂが嵌合され、その状態で第１端部１０６ａがトップビーム取付部１１９に固定されている。各トップビーム１０６の第１端部１０６ａの溝１０６ｃ内の部位には、当該第１端部１０６ａを内外に貫通する２つの挿通孔が形成されている。この第１端部１０６ａの溝１０６ｃ内の部位に形成された２つの挿通孔は、トップビーム１０６の長手方向に並んで配置されている。
【００２８】
また、各トップビーム１０６の第２端部１０６ｂが支柱１０２のトップビーム取付部１１９の受け面１１９ａにより斜め下側から受けられるとともに、その第２端部１０６ｂの溝１０６ｃ内にトップビーム取付部１１９の凸部１１９ｂが嵌合され、その状態で第２端部１０６ｂがトップビーム取付部１１９に固定されている。各トップビーム１０６の第２端部１０６ｂの溝１０６ｃ内の部位には、当該第２端部１０６ｂを内外に貫通する２つの挿通孔が形成されている。この第２端部１０６ｂの溝１０６ｃ内の部位に形成された２つの挿通孔は、トップビーム１０６の長手方向に並んで配置されている。
【００２９】
複数のスリーブ１０７（図３参照）は、前記複数のトップビーム１０６の隣り合うもの同士をそれぞれ連結するためのものである。この複数のスリーブ１０７の各々は、筒状をなし、トップビーム１０６の内周形状にフィットする外周形状を有する。この複数のスリーブ１０７の各々は、トップビーム１０６の長手方向と同方向に延びるように配置されるとともに、各トップビーム１０６の第１端部１０６ａとその第１端部１０６ａに隣接する別のトップビーム１０６の第２端部１０６ｂとに跨るようにその各トップビーム１０６の第１端部１０６ａ内とその第１端部１０６ａに隣接する別のトップビーム１０６の第２端部１０６ｂ内に挿嵌されている。
【００３０】
各スリーブ１０７のうちトップビーム１０６の第１端部１０６ａ内に挿入された部分には、第１端部１０６ａの溝１０６ｃ内の部位に形成された２つの挿通孔とそれぞれ対応する位置に、そのスリーブ１０７を内外に貫通する２つのボルト孔が形成されている。また、各スリーブ１０７のうちトップビーム１０６の第２端部１０６ｂ内に挿入された部分には、第２端部１０６ｂの溝１０６ｃ内の部位に形成された２つの挿通孔とそれぞれ対応する位置に、そのスリーブ１０７を内外に貫通する２つのボルト孔が形成されている。
【００３１】
複数のビーム固定ボルト１２０は、それぞれ、複数のトップビーム１０６の各々の第１端部１０６ａ又は第２端部１０６ｂをその端部内に挿嵌されたスリーブ１０７とともに支柱１０２のトップビーム取付部１１９に締結して固定するものである。具体的に、ビーム固定ボルト１２０は、トップビーム取付部１１９に形成された挿通孔と、トップビーム１０６の第１端部１０６ａ又は第２端部１０６ｂに形成された２つの挿通孔のうちその第１端部１０６ａ又は第２端部１０６ｂの先端寄りに位置する方の挿通孔とに挿通され、さらにスリーブ１０７に形成された対応するボルト孔に螺入されている。それによって、ビーム固定ボルト１２０は、第１端部１０６ａ又は第２端部１０６ｂとスリーブ１０７とトップビーム取付部１１９とを締結している。
【００３２】
複数の第１ボルト１０８は、それぞれ、複数のトップビーム１０６の各々の第１端部１０６ａとその第１端部１０６ａ内に挿嵌されたスリーブ１０７とを締結するものである。具体的に、各第１ボルト１０８は、各トップビーム１０６の第１端部１０６ａに形成された２つの挿通孔のうち前記ビーム固定ボルト１２０が挿通されていない方の挿通孔に挿通されるとともに、スリーブ１０７のうち第１端部１０６ａ内に挿嵌された部分に形成された２つのボルト孔のうち前記ビーム固定ボルト１２０が螺入されていない方のボルト孔に螺入され、それによって第１端部１０６ａとスリーブ１０７とを締結している。
【００３３】
複数の第２ボルト１０９は、それぞれ、複数のトップビーム１０６の各々の第２端部１０６ｂとその第２端部１０６ｂ内に挿嵌されたスリーブ１０７とを締結するものである。具体的に、各第２ボルト１０９は、各トップビーム１０６の第２端部１０６ｂに形成された２つの挿通孔のうち前記ビーム固定ボルト１２０が挿通されていない方の挿通孔に挿通されるとともに、スリーブ１０７のうち第２端部１０６ｂ内に挿嵌された部分に形成された２つのボルト孔のうち前記ビーム固定ボルト１２０が螺入されていない方のボルト孔に螺入され、それによって第２端部１０６ｂとスリーブ１０７とを締結している。
【００３４】
下部ビーム１１０（図１参照）は、防護柵１００の下半部に位置し、トップビーム１０６から下側に間隔をおいた高さ位置でトップビーム１０６に対して平行に延びている。その状態で、下部ビーム１１０は、前記複数の支柱１０２の各々に対して結合されている。
【００３５】
複数の上側レール１１１の各々は、隣り合う支柱１０２間に配置され、トップビーム１０６と下部ビーム１１０との間の高さ位置でそれらのトップビーム１０６及び下部ビーム１１０と平行に延びている。各上側レール１１１の長手方向の一端部と他端部はその上側レール１１１の両側に位置する支柱１０２の対応するものにそれぞれ固定され、それによってその上側レール１１１の両側の支柱１０２間に架設されている。
【００３６】
複数の下側レール１１２の各々は、隣り合う支柱１０２間に配置され、下部ビーム１１０から下側に間隔をあけた高さ位置で下部ビーム１１０と平行に延びている。各下側レール１１２の長手方向の一端部と他端部はその下側レール１１２の両側に位置する支柱１０２の対応するものにそれぞれ固定され、それによってその下側レール１１２が両側の支柱１０２間に架設されている。
【００３７】
複数の縦桟１１４は、上側レール１１１と下側レール１１２との間にそれらのレールが延びる方向において所定間隔で並ぶように配置され、上下方向に延びている。この複数の縦桟１１４の各々は、上側レール１１１と下側レール１１２との間に架設されている。
【００３８】
本実施形態による照明装置１は、以上のように構成された既設の防護柵１００に後付け可能であり、夜間や濃霧等の視認性の悪い状況において明かりを提供するとともに、光を発することによって防護柵１００の存在を認識しやすくするためのものである。
【００３９】
照明装置１は、既設の防護柵１００の複数の支柱１０２のうち隣り合う任意の２つの支柱１０２間に配設されてその支柱１０２間のトップビーム１０６に沿うように且つそのトップビーム１０６から垂下される形態で当該トップビーム１０６に対して取り付けられる。本実施形態では、既設の防護柵１００の全ての支柱１０２間のスペースにそれぞれ照明装置１が設置される。照明装置１は、既設の防護柵１００のトップビーム１０６に対して着脱可能となっている。この照明装置１は、図２に示すように、装置本体２と、カバー４と、第１取付部５と、第２取付部６と、２つの取付部固定ボルト７と、２つの取付部固定ナット８と、発光装置９と、発光装置取付ブラケット１０と、電源装置１１と、第１端部カバー１２と、第２端部カバー１３とを有する。
【００４０】
装置本体２は、ある方向に延びる略円筒状をなし、既設の防護柵１００の隣り合う２つの支柱１０２間においてトップビーム１０６の下側でそのトップビーム１０６の長手方向に沿って延びるように配置可能となっている。装置本体２は、例えばアルミニウム等の金属材料によって形成されている。装置本体２は、その長手方向の中央に当該装置本体２の内外を貫通するように形成された開口部１６を有する。開口部１６は、装置本体２の長手方向に沿って長い矩形状をなしている。また、開口部１６は、照明装置１がトップビーム１０６に取り付けられたときに装置本体２のうち橋梁の幅方向内向きで且つ斜め下を向く部位に設けられている。
【００４１】
また、装置本体２の外面には、当該装置本体２の長手方向に延びる溝１４（図７及び図８参照）が設けられている。前記２つの取付部固定ボルト７の頭部がこの溝１４内に嵌め込まれている。取付部固定ボルト７は、六角ボルトであり、その頭部が溝１４内に嵌め込まれることにより当該取付部固定ボルト７が装置本体２に対して回転しないように装置本体２に装着されている。各取付部固定ボルト７の頭部は、溝１４の長手方向に沿って装置本体２に対してスライド可能（位置変更可能）となっている。各取付部固定ボルト７の螺子部は、溝１４から突出し、装置本体２の径方向外側へ延びている。
【００４２】
カバー４（図２及び図８参照）は、開口部１６を塞ぐように装置本体２に取り付けられている。このカバー４は、ポリカーボネート等の樹脂材料によって形成され、透光性を有する。このカバー４は、装置本体２の外周面の形状に近い湾曲した曲板状をなしている。また、このカバー４は、装置本体２に対して着脱可能に構成されており、当該カバー４を装置本体２から取り外すことにより装置本体２の外部から開口部１６を通じて装置本体２内への発光装置９の設置や交換などの作業を行えるようになっている。
【００４３】
第１及び第２取付部５，６は、照明装置１を防護柵１００のトップビーム１０６に着脱可能に取り付けるためのものである。
【００４４】
第１取付部５は、装置本体２の長手方向の両端のうち当該装置本体２が前記隣り合う２つの支柱１０２間においてトップビーム１０６に沿って延びるように配置されたときにそのトップビーム１０６の第１端部１０６ａの近くに位置する方の一端近傍において当該装置本体２の外周面に取り付けられている。この第１取付部５は、装置本体２が前記のように配置されたときにトップビーム１０６の第１端部１０６ａの外面に沿うように配置される。そして、この第１取付部５は、トップビーム１０６の第１端部１０６ａ内に挿嵌されたスリーブ１０７に対して前記第１ボルト１０８により第１端部１０６ａとともに締結可能に構成されている。
【００４５】
具体的に、この第１取付部５は、図５に示すように、装置本体２の前記一端近傍の部位の外周面に沿って配置されて装置本体２に固定される装置本体側固定部１８と、トップビーム１０６の第１端部１０６ａとともにスリーブ１０７に締結されて固定されるビーム側固定部２０と、装置本体側固定部１８とビーム側固定部２０との間でそれらを繋ぐ中間部２２とを有する。装置本体側固定部１８とビーム側固定部２０と中間部２２は一体的に形成されている。
【００４６】
装置本体側固定部１８は、図７に示すように、装置本体２の外周面に沿うように湾曲した板状をなし、装置本体２に締結される。具体的には、装置本体側固定部１８は、その板厚方向に当該装置本体側固定部１８を貫通する孔を有し、装置本体２に装着された取付部固定ボルト７の螺子部がこの孔に挿通される。そして、この孔を通って装置本体側固定部１８から突出した取付部固定ボルト７の螺子部に取付部固定ナット８が螺合され、その取付部固定ナット８が締め付けられることによって装置本体側固定部１８が装置本体２に固定されている。また、装置本体２の前記溝１４に沿って取付部固定ボルト７の位置を変更することにより、装置本体２に対する装置本体側固定部１８の固定位置、すなわち装置本体２に対する第１取付部５の位置を装置本体２の長手方向において調節可能となっている。
【００４７】
ビーム側固定部２０は、図６に示すように、トップビーム１０６の溝１０６ｃに嵌合可能な板状をなし、その溝１０６ｃに嵌合した状態でトップビーム１０６の第１端部１０６ａ及びそれに挿嵌されたスリーブ１０７と締結される。具体的には、ビーム側固定部２０は、その板厚方向に当該ビーム側固定部２０を貫通する孔を有し、前記第１ボルト１０８がこの孔とトップビーム１０６の第１端部１０６ａに形成された挿通孔に挿通されるとともにスリーブ１０７のうち第１端部１０６ａ内に挿入された部分に形成されたボルト孔に螺入されて締め付けられることによって当該ビーム側固定部２０がトップビーム１０６の第１端部１０６ａ及びスリーブ１０７と締結されるようになっている。
【００４８】
トップビーム１０６の溝１０６ｃは、ビーム側固定部２０に設けられた孔と第１端部１０６ａに形成された挿通孔との位置合わせに寄与する。すなわち、トップビーム１０６の溝１０６ｃにビーム側固定部２０を嵌合することにより、トップビーム１０６の周方向において第１端部１０６ａの挿通孔とビーム側固定部２０の孔の位置が揃い、その状態で溝１０６ｃの長手方向（トップビーム１０６の長手方向）におけるビーム側固定部２０の位置を調節するだけで第１端部１０６ａの挿通孔に対してビーム側固定部２０の孔の位置を合わせることができるようになっている。
【００４９】
中間部２２は、前記装置本体側固定部１８及び前記ビーム側固定部２０に対して垂直に配置されてそれらの端部同士を繋いでいる。すなわち、前記装置本体側固定部１８、前記ビーム側固定部２０及び当該中間部２２からなる第１取付部５は、クランク状をなしている。
【００５０】
第２取付部６は、装置本体２の長手方向の両端のうち当該装置本体２が前記隣り合う２つの支柱１０２間においてトップビーム１０６に沿って延びるように配置されたときにそのトップビーム１０６の第２端部１０６ｂの近くに位置する方の端近傍において当該装置本体２の外周面に取り付けられている。この第２取付部６は、装置本体２が前記のように配置されたときにトップビーム１０６の第２端部１０６ｂの外面に沿うように配置される。そして、この第２取付部６は、トップビーム１０６の第２端部１０６ｂ内に挿嵌されたスリーブ１０７に対して前記第２ボルト１０９により第２端部１０６ｂとともに締結可能に構成されている。
【００５１】
この第２取付部６は、前記第１取付部６と同様の構成を有しており、前記第１取付部６と対称となるように配置されている。すなわち、第２取付部６は、前記第１取付部６の装置本体側固定部１８、ビーム側固定部２０及び中間部２２に対応する装置本体側固定部２８、ビーム側固定部３０及び中間部３２を有する（図５参照）。前記第１取付部６の場合と同様にして、当該第２取付部６の装置本体側固定部２８が取付部固定ボルト７と取付部固定ナット８により装置本体２に固定され、当該第２取付部６のビーム側固定部２０がトップビーム１０６の溝１０６ｃに嵌合した状態で第２ボルト１０９によりトップビーム１０６の第２端部１０６ｂ及びそれに挿嵌されたスリーブ１０７と締結される。
【００５２】
発光装置９（図２及び図８参照）は、装置本体２内に設けられ、給電されることによって発光するように構成されている。この発光装置９は、例えばＬＥＤ照明器具からなる。この発光装置９は、細長い形状をなし、装置本体２内の空間においてその装置本体２の長手方向に延びるように配置されている。また、当該発光装置９の長さは、装置本体２の長手方向に沿う方向における前記開口部１６の幅よりも小さく、当該発光装置９は、装置本体２の外側から見て前記開口部１６内に収まるように配置されている。また、当該発光装置９は、前記開口部１６へ向かって光を出射するように配置されている。この発光装置９から出射された光は、前記カバー４を透過して装置本体２の外部へ照射されるようになっている。
【００５３】
発光装置取付ブラケット１０は、発光装置９を装置本体２に取り付けるための部材である。この発光装置取付ブラケット１０は、板材を曲げ加工することによって形成されたＬ型の金具である。この発光装置取付ブラケット１０は、装置本体２の内部空間に配置されて装置本体２に螺子止めされている。この発光装置取付ブラケット１０に前記発光装置９が螺子止めされている。すなわち、前記発光装置９は、当該発光装置取付ブラケット１０を介して装置本体９に取り付けられている。
【００５４】
電源装置１１（図２参照）は、図略の外部電源から供給される交流電流を直流電流に変換して発光装置９へ供給する装置である。この電源装置１１は、装置本体２内において発光装置２と並んで配置され、装置本体２に固定されている。電源装置１１は、発光装置９と電気的に接続されている。また、電源装置１１には、図略の外部電源からの交流電流の供給を受けるための電気配線４０が接続されている。防護柵１００の全ての支柱１０２間の各スペースに照明装置１がそれぞれ設置される場合には、それらの照明装置１の電源装置１１は、直列に電気接続される。すなわち、隣り合う照明装置１の電源装置１１同士が電気配線４０を介して接続され、防護柵１００の長手方向の最も端に位置する照明装置１の電源装置１１が電気配線４０を介して外部電源に接続される。各支柱１０２の中央板１２４には、隣り合う照明装置１の電源装置１１同士を繋ぐ電気配線４０を挿通するための配線挿通孔１３０（図４参照）が設けられる。
【００５５】
第１端部カバー１２は、装置本体２の長手方向の一端とその一端に対向する支柱１０２の中央板１２４との間で電気配線４０を露出させる隙間を小さくするためのものである。具体的に、この第１端部カバー１２は、装置本体２の一端の開口からその装置本体２内に挿入可能な外形を有する。この第１端部カバー１２は筒状をなし、電気配線４０はこの第１端部カバー１２の内側の空間を通るとともに支柱１０２の前記配線挿通孔１３０を通って隣りの照明装置１の電源装置１１へ延びる。第１端部カバー１２は、装置本体２の一端からそれに対向する支柱１０２の中央板１２４側へ突出し、それによって電気配線４０のうち装置本体２の一端と中央板１２４との間で露出する部分の長さを小さくする。
【００５６】
第１端部カバー１２は、装置本体２の長手方向に沿って装置本体２に対してスライド可能である。そのため、装置本体２の一端からの第１端部カバー１２の突出量を変更可能となっている。装置本体２を隣り合う支柱１０２間に配置した状態では、装置本体２から突出した第１端部カバー１２の先端が支柱１０２の外側板１２３の幅方向の端縁よりも中央板１２４寄りに位置するように第１端部カバー１２の前記突出量が設定される。
【００５７】
第２端部カバー１３は、前記第１端部カバー１３が装着された前記一端に対して反対側の端である端装置本体２の長手方向の他端とその他端に対向する支柱１０２の中央板１２４との間で電気配線４０を露出させる隙間を小さくするためのものである。具体的に、この第２端部カバー１３は、装置本体２の他端の開口からその装置本体２内に挿入可能な外形を有する。この第２端部カバー１３は筒状をなし、電気配線４０はこの第２端部カバー１３の内側の空間を通るとともに支柱１０２の前記配線挿通孔１３０を通って隣りの照明装置１の電源装置１１へ延びる。第２端部カバー１３は、装置本体２の他端からそれに対向する支柱１０２の中央板１２４側へ突出し、それによって電気配線４０のうち装置本体２の他端と中央板１２４との間で露出する部分の長さを小さくする。
【００５８】
第２端部カバー１３は、装置本体２の長手方向に沿って装置本体２に対してスライド可能である。そのため、装置本体２の他端からの第２端部カバー１３の突出量を変更可能となっている。装置本体２を隣り合う支柱１０２間に配置した状態では、装置本体２から突出した第２端部カバー１３の先端が支柱１０２の外側板１２３の幅方向の端縁よりも中央板１２４寄りに位置するように第２端部カバー１３の前記突出量が設定される。
【００５９】
次に、本実施形態による照明装置１を既設の防護柵１００に取り付けるための施工方法について説明する。
【００６０】
まず、前記のように構成された照明装置１を用意する（用意工程）。
【００６１】
次に、その用意した照明装置１を、その照明装置１の装置本体２が既設の防護柵１００の隣り合う支柱１０２間においてトップビーム１０６に沿って延びるように配置する（配置工程）。このとき、事前に第１及び第２端部カバー１２，１３を装置本体２内に退入させておく。これにより、照明装置１の長手方向の端部が支柱１０２の内側板１２２及び外側板１２３に接触しにくくなり、作業性が悪化するのを回避できる。また、事前に、装置本体２を配置する支柱１０２間のトップビーム１０６に取り付けられた第１ボルト１０８及び第２ボルト１０９を緩めて取り外しておく。そして、この配置工程では、照明装置１の第１取付部５のビーム側固定部２０をトップビーム１０６の第１端部１０６ａの外面に沿うように配置するとともにそのトップビーム１０６の溝１０６ｃに嵌合させ、また、照明装置１の第２取付部６のビーム側固定部３０をトップビーム１０６の第２端部１０６ｂの外面に沿うように配置するとともにそのトップビーム１０６の溝１０６ｃに嵌合させる。
【００６２】
次に、照明装置１の第１取付部５のビーム側固定部２０をトップビーム１０６の第１端部１０６ａ内に挿嵌されたスリーブ１０７に対して第１ボルト１０８により第１端部１０６ａとともに締結する（第１締結工程）。
【００６３】
また、照明装置１の第２取付部６のビーム側固定部３０をトップビーム１０６の第２端部１０６ｂ内に挿嵌されたスリーブ１０７に対して第２ボルト１０９により第２端部１０６ｂとともに締結する（第２締結工程）。
【００６４】
そして、防護柵１００の全ての支柱１０２間のスペースについて以上のような工程と同様の工程により照明装置１を設置する。その後、隣り合う照明装置１の電源装置１１同士を電気配線４０により接続する。このとき、電気配線４０を第１端部カバー１２又は第２端部カバー１３の内側の空間に挿通させるとともに支柱１０２の配線挿通孔１３０に挿通させる。そして、防護柵１００の長手方向において最も端に位置する照明装置１の電源装置１１に繋がる電気配線４０を外部電源に接続する。
【００６５】
最後に、第１及び第２端部カバー１２，１３の装置本体２の各端部からの突出量を調節し、電気配線４０の露出部分ができる限り小さくなるようにする。
【００６６】
以上のようにして、本実施形態による照明装置１の施工が行われる。
【００６７】
本実施形態による照明装置１では、発光装置９が設けられた装置本体２を既設の防護柵１００のうちの隣り合う任意の２つの支柱１０２間においてトップビーム１０６に沿って延びるように配置可能であるとともに、そのように装置本体２が配置されたときにその装置本体２に設けられた第１取付部５がトップビーム１０６の第１端部１０６ａの外面に沿うように配置されてその第１端部１０６ａ内に挿嵌されたスリーブ１０７に対して第１ボルト１０８により当該第１取付部６を第１端部１０６ａとともに締結可能であり、且つ、前記のように装置本体２が配置されたときにその装置本体２に設けられた第２取付部６がトップビーム１０６の第２端部１０６ｂの外面に沿うように配置されてその第２端部１０６ｂ内に挿嵌されたスリーブ１０７に対して第２ボルト１０９により当該第２取付部６を第２端部１０６ｂとともに締結可能である。このため、既設の防護柵１００において元々トップビーム１０６の第１端部１０６ａ及び第２端部１０６ｂとそれらにそれぞれ挿嵌されたスリーブ１０７とを締結している第１及び第２ボルト１０８，１０９を利用してトップビーム１０６を加工することなく照明装置１をトップビーム１０６に沿うように取り付けることができるとともに、既設の防護柵１００のうちの隣り合う２つの支柱１０２間のスペースに照明装置１を設置できる。従って、本実施形態では、照明装置１を既設の防護柵１００のトップビーム１０６に沿うようにその防護柵１００に簡単に後付けすることができるとともに、その既設の防護柵１００のうちの隣り合う支柱１０２間のスペースを有効利用してそのスペースに照明装置１を設置することができる。
【００６８】
また、本実施形態による照明装置１では、発光装置９を発光させるための電力を装置本体２の外部から供給できるようにしつつ、その給電のための電気配線４０が装置本体２の端部とその端部に対向する支柱１０２の中央板１２４との間の隙間で露出することによる美観の悪化及び外部環境に起因する当該電気配線４０の劣化を抑制でき、且つ、隣り合う支柱１０２間に装置本体２を配置するときの作業性が悪化するのを回避できる。
【００６９】
具体的には、電気配線４０のうち装置本体２の端部とその端部に対向する支柱１０２の中央板１２４との間の隙間で露出する部分の長さが大きい場合には、美感を損なうとともに、雨や日照などの外部環境により電気配線４０が劣化しやすくなる。しかしながら、本実施形態による照射装置１では、その電気配線４０の露出部分の少なくとも一部を第１及び第２端部カバー１２，１３のうち装置本体２の端部から突出する部分によって覆い隠すことができるため、そのような美観の悪化及び電気配線４０の劣化を抑制できる。
【００７０】
また、電気配線４０の露出部分を小さくするためには例えば装置本体２自体の長さを拡大することも考えられるが、その場合には装置本体２を隣り合う支柱１０２間に配置するときに装置本体２の端部が支柱１０２に接触しやすくなる。特に、装置本体２の端部を支柱１０２の内側板１２２と外側板１２３との間に配置するときにその装置本体２の端部が内側板１２２又は外側板１２３に接触しやすくなる。このため、装置本体２の配置の作業性が悪化する。これに対し、本実施形態による照射装置１では、第１及び第２端部カバー１２，１３が装置本体２に対してその長手方向にスライド可能であるため、装置本体２を隣り合う支柱１０２間に配置するときには、当該第１及び第２端部カバー１２，１３を装置本体２内に退入させて装置本体２に第１及び第２端部カバー１２，１３の突出部分を加えた全長を縮小することができ、その第１及び第２端部カバー１２，１３が支柱１０２の内側板１２２又は外側板１２３に接触するのを回避できるため、作業性が悪化するのを回避できる。
【００７１】
本発明による防護柵用照明装置は、前記のような構成のものに必ずしも限定されない。例えば、本発明による防護柵用照明装置に以下のような構成を採用可能である。
【００７２】
前記実施形態では、橋梁に設置される防護柵に取り付けられる照明装置について説明したが、本発明による照明装置が取り付けられる防護柵は、道路や道路に隣接する場所、例えば道路の幅方向の端縁部や車道と歩道との間の境界部や中央分離帯などに設置されるものであってもよい。
【００７３】
また、本実施形態による防護柵用照明装置は、必ずしも防護柵の全ての支柱間のスペースに設置されなくてもよい。例えば、防護柵の全ての支柱間のスペースのうち防護柵の長手方向に沿って所定数置きのスペースにそれぞれ防護柵用照明装置を設置してもよい。
【符号の説明】
【００７４】
１  防護柵用照明装置
２  装置本体
５  第１取付部
６  第２取付部
９  発光装置
１２  第１端部カバー
１３  第２端部カバー
４０  電気配線
１００  防護柵
１０２  支柱
１０６  トップビーム
１０６ａ  第１端部
１０６ｂ  第２端部
１０７  スリーブ
１０８  第１ボルト
１０９  第２ボルト
【図１】
2020056211.tif 000003
【図２】
2020056211.tif 000004
【図３】
2020056211.tif 000005
【図４】
2020056211.tif 000006
【図５】
2020056211.tif 000007
【図６】
2020056211.tif 000008
【図７】
2020056211.tif 000009
【図８】
2020056211.tif 000010